(57)【要約】【課題】見栄えが良好であり且つ良好な排水性能を有する浴室用収納棚を提供する。【解決手段】本発明を、棚板１と受け具２と外カバー３を具備した浴室用収納棚とする。棚板１には、棚板本体１１と、棚板本体１１から延設される差込部１３とを設ける。受け具２には、棚板１の差込部１３を差込むための差込空間２２を設ける。外カバー３は、前壁３１と底壁３２と側壁３３とを設ける。棚板１の棚板本体１１の上面は傾斜させて設け、受け具２には、差込空間２２から下方に貫通する排水孔２４３を設ける。そして、外カバー３の底壁３２の後端縁には、細長い排水用スリットを形成するように切欠部３２１を設ける。【選択図】図１
2010273740.tif 000002
【特許請求の範囲】
【請求項１】
棚板と、棚板を支持するために浴室壁面に取付固定される受け具と、受け具を覆う外カバーとを具備する浴室用収納棚であって、前記棚板には、棚板本体と、棚板本体の後端部から下方に延設される差込部とを設け、前記受け具には、前記棚板の差込部を上方から差込むための差込空間を設け、前記外カバーには、前記受け具の前方を覆う前壁と、前記受け具の下方を覆う底壁と、前記受け具の左右両側方を覆う側壁とを設け、さらに、前記棚板の棚板本体の上面には、後端部側へと水を導く傾斜を設け、前記受け具には、差込空間から下方に貫通する排水孔を設け、前記外カバーの底壁の後端縁には、浴室側面との間で左右に細長い排水用スリットを形成するように切欠部を設けることを特徴とする浴室用収納棚。
【発明の詳細な説明】
【技術分野】
【０００１】
本発明は、浴室用収納棚に関し、詳しくは、棚全体の見栄えと排水性能を共に確保するための技術に関する。
【背景技術】
【０００２】
シャンプー等の各種備品を載置するために、浴室用収納棚が好適に利用される。この浴室用収納棚は特許文献１に記載されるようなものであり、棚板と、該棚板を支持するための受け具とから成る。受け具は浴室側面に固定する部材であり、該受け具に対して、棚板を上方から差し込む等して支持させる。しかし、この浴室用収納棚には、以下の問題点がある。
【０００３】
第１の問題点は、特に浴室用収納棚を下方から見たときに受け具が露出し、棚全体の見栄えがよくないという問題である。第２の問題点は、棚板の上面に溜まる水が該棚板の周縁から水滴となって床面に落下するという問題である。大きな水滴は床面に落ちる際にポタポタと音をさせ、また、その水滴やはね返りが不意に身体に当たることもあるため、利用者に不快感を与える場合がある。
【先行技術文献】
【特許文献】
【０００４】
【特許文献１】特開２００５−３４８９５４号公報
【発明の概要】
【発明が解決しようとする課題】
【０００５】
本発明は上記問題点に鑑みて発明したものであって、棚板を支持する受け具やこれを覆う外カバーを用いて専用の排水経路を形成することで、見栄えを良好に保ったうえで良好な排水性能を得ることを課題とする。
【課題を解決するための手段】
【０００６】
上記課題を解決する本発明は、棚板１と、棚板１を支持するために浴室壁面Ｓに取付固定される受け具２と、受け具２を覆う外カバー３とを具備する浴室用収納棚である。
【０００７】
前記棚板１には、棚板本体１１と、棚板本体１１の後端部から下方に延設される差込部１３とを設ける。前記受け具２には、前記棚板１の差込部１３を上方から差込むための差込空間２２を設ける。前記外カバー３には、前記受け具２の前方を覆う前壁３１と、前記受け具２の下方を覆う底壁３２と、前記受け具２の左右両側方を覆う側壁３３とを設ける。
【０００８】
さらに、前記棚板１の棚板本体１１の上面には、後端部側へと水を導く傾斜を設ける。前記受け具２には、差込空間２２から下方に貫通する排水孔２４３を設ける。前記外カバー３の底壁３２の後端縁には、浴室側面Ｓとの間で左右に細長い排水用スリット４を形成するように切欠部３２１を設ける。
【０００９】
上記構成から成る本発明の浴室用収納棚によれば、棚板本体１１の上面に溜まる水を後端部側に集め、差込部１３をつたって受け具２の差込空間２２内に導入し、排水孔２４３を通じて外カバー３の底壁３２上に落としたうえで、左右に細長い排水用スリット４を通じて浴室側面Ｓにつたわすことができる。
【００１０】
つまり、受け具２が露出することのないように外カバー３で全体を覆って見栄えを向上させるだけでなく、この外カバー３と受け具２と棚板１とで上記の如く形成される専用の排水経路によって、浴室側面Ｓにまで円滑に水をつたわすことができる。これにより、水滴が床面に落ちる際のポタポタ音が抑制され、また、水滴やはね返りが身体に不意に当たることも防止される。しかも、そのための排水用スリット４も利用者に対して目立たない箇所に、目立たない寸法形状で形成される。
【発明の効果】
【００１１】
本発明は、棚板を支持する受け具やこれを覆う外カバーを用いて専用の排水経路を形成することによって、見栄えを良好に保ったうえで浴室側面に沿って円滑に水が流れるようにし、利用者に不快感を与えることがない良好な排水性能を得るといった効果を奏する。
【図面の簡単な説明】
【００１２】
【図１】本発明の実施形態における一例の浴室用収納棚の分解斜視図である。
【図２】同上の浴室用収納棚の棚板を外した状態の全体斜視図である。
【図３】同上の浴室用収納棚を組立てた状態の全体斜視図である。
【図４】同上の浴室用収納棚の断面図である。
【図５】同上の浴室用収納棚の受け具と外カバーを組み合わせたブロックを斜め上方からみた斜視図である。
【図６】図５のＡ−Ａ´線断面を示す斜視図である。
【図７】同上の浴室用収納棚の受け具と外カバーを組み合わせたブロックを斜め下方からみた斜視図である。
【図８】同上の受け具を示し、（ａ）は平面図、（ｂ）は背面図、（ｃ）は側面図、（ｄ）は正面図である。
【図９】同上の外カバーを示し、（ａ）は平面図、（ｂ）は背面図、（ｃ）は側面図、（ｄ）は正面図、（ｅ）は下面図である。
【発明を実施するための形態】
【００１３】
本発明を添付図面に示す実施形態に基づいて説明する。本発明の実施形態における一例の浴室用収納棚は、図１〜図４に全体を示すように、浴室用の各種備品を載置することのできる棚板１と、棚板１を下方から支持する受け具２と、受け具２の外面（主に前面、左右側面、下面）を覆うように装着する外カバー３とで構成される。
【００１４】
なお、本文中で用いる前後、左右、上下等の各方向は、本例の浴室用収納棚を浴室側面Ｓに設置した状態を基準とする。
【００１５】
棚板１は、平面視矩形状の棚板本体１１と、該棚板本体１１の前縁部と左右側縁部から上方に延設される平面視コ字状の周壁１２と、該棚板本体１１の後端部から下方に延設される板状の差込部１３とから成る。差込部１３の下端縁には、左右に所定距離を隔てて一対の嵌合凹部１３１を形成してある。
【００１６】
受け具２は、浴室側面Ｓに密着固定される後板２１と、上方に開口する差込空間２２を介して該後板２１よりも前方に配置される前板２３と、この後板２１と前板２３の下部同士を前後方向に連結させる連結部２４とで、主体を成している（図８等参照）。ここでの差込空間２２は、棚板１の差込部１３を上方から差込んで係止させるための空間である。
【００１７】
後板２１および前板２３は、正面視において略同型同大の矩形状となるように設けている。なお、前板２３においてはその上端部分２３１を前方にむけて屈曲させており、屈曲した上端部分２３１が他の部分よりも前方に突出するように設けている。
【００１８】
連結部２４は差込空間２２の下部に位置するものであり、受け具２全体が側面視凹字状となるように後板２１および前板２３の下端部同士を連結させる底壁部２４１と、後板２１および前板２３の下半部同士を連結させる左右一対の嵌合凸部２４２とから成る。左右一対の嵌合凸部２４２は、左右に所定距離を隔てて並設したものである。本例では底壁部２４１とこれの上方に位置する嵌合凸部２４２とを、一体に形成してある。
【００１９】
底壁部２４１には、複数の排水孔２４３を上下方向に貫通させてある。本例では、差込空間２２から下方に貫通する排水孔２４３を、都合４つだけ左右に並設している。具体的には、底壁部２４１のうちで嵌合凸部２４２間の隙間部分の下方となる箇所に２つの排水孔２４３を設け、左右の嵌合凸部２４２のさらに外側の隙間部分の下方となる箇所に、それぞれ１つの排水孔２４３を設けている。
【００２０】
また、受け具２には、固定具（図示せず）を前後方向に貫通させるための貫通孔２５を２箇所設けている。貫通孔２５は、一対設けてある各嵌合凸部２４２内を通じて、後板２１および前板２３を一直線上に貫くものである。
【００２１】
外カバー３は、正面視において受け具２よりも僅かに大きく形成した矩形状の前壁３１と、前壁３１の下端から後方に延設される底壁３２と、前壁３１の左右両端から後方に延設される左右の側壁３３と、左右両側壁３３の上縁の後端部同士をつなぐように延設される上壁３４とから成る（図等９参照）。左右両側壁３３は底壁３２の左右両端とも連続する。つまり、外カバー３は、その背面部分を開口させ、また上面のうち上壁３４以外の部分を開口させた形状の箱型部材である。
【００２２】
外カバー３の左右の側壁３３には、その後縁部から内方に係合部３３１（図７、図９参照）を突設してある。この係合部３３１は、受け具２の後板２１の左右両端部に凹設してある被係合部２１１（図７、図８参照）と係合する位置および形状に設けてある。
【００２３】
また、外カバー３の底壁３２の後端縁には、切欠部３２１を左右に細長く凹設している。この切欠部３２１は、底壁３２の後端縁が浴室側面Ｓに当接するように外カバー３を装着した際に、浴室側面Ｓとの間において左右に細長い排水用スリット４（図２、図４参照）を形成する部分である。また、底壁３２の上面（つまり箱型を成す外カバー３の内底面）の傾斜は、受け具２に装着した際にその後端部が他の部分よりも下方に位置するような傾斜に設けてある。
【００２４】
上記構成からなる本例の浴室用収納棚を浴室内に設置するには、まず、浴室側面Ｓの適当な箇所に受け具２を固定する。固定に際しては、受け具２の後板２１を浴室側面Ｓに当てた状態で、前板２３側から貫通孔２５内に固定具を挿通させ、該固定具を浴室側面Ｓに貫通固定させる。
【００２５】
次いで、浴室側面Ｓに固定した受け具２に対して、前方から外カバー３を装着させる。装着に際しては、外カバー３の各側壁３３から突設した係合部３３１を、受け具２の後板２１の対応する被係合部２１１に係合させ、外カバー３の上壁３４を、受け具２の後板２１の上面に載置させる。
【００２６】
これにより、外カバー３の前壁３１が受け具２の前板２３を前方から覆い隠し、外カバー３の底壁３２が受け具２の後板２１および前板２３を下方から覆い隠し、外カバー３の左右の側壁３３が受け具２の後板２１および前板２３を左右両側方から覆い隠す。また、外カバー３の上壁３４が受け具２の後板２１を上方から覆い隠す。したがって図２や図５に示すように、外カバー３を被せた段階での受け具２の露出は、外カバー３上面の上壁３４を除く開口部分から差込空間２２と前板２３が露出するのみとなる。なお、この露出部分については、後述のように棚板１を装着した時点で、該棚板１によって上方から覆い隠される（図３等参照）。
【００２７】
受け具２に外カバー３を装着させた後は、受け具２に対して上方から棚板１を装着させる。装着に際しては、外カバー３の上面の開口部分を通じて、棚板１の差込部１３を受け具２の差込空間２２内に差し込めばよい。差込空間２２内において、棚板１の差込部１３に設けてある一対の嵌合凹部１３１に、受け具２の一対の嵌合凸部２４２がそれぞれ嵌合し、さらに差込部１３の後面と前面が、受け具２の後板２１と前板２３にそれぞれ当接する。棚板１の棚板本体１１の下面後端部は、受け具２の前板２３において前方に突出するように屈曲した上端部分２３１の上面に載置される。
【００２８】
棚板１は、上記のように受け具２に装着した状態で、棚板本体１１の上面全体が傾斜した姿勢となるように設けている。ここでの棚板本体１１の傾斜は、前側を僅かに上方に持ち上げた傾斜であり、棚板本体１１の後端部が他の部分よりも下方に位置するようになっている。
【００２９】
上記のようにして設置した本例の浴室用収納棚においては、棚板本体１１の上面に溜まる水に対して、図４に矢印で示すような排水が行われる。つまり、棚板本体１１の上面に溜まる水は該上面の傾斜によって後端部に集められ、差込部１３をつたって受け具２の差込空間２２内に導入される。
【００３０】
差込空間２２内において、左右の嵌合凸部２４２間の隙間部分を流下した水は、その下方の底壁部２４１に貫設してある２つの排水孔２４３を通じてさらに下方に流下する。また、左右の嵌合凸部２４２のさらに外側の隙間部分を流下した水は、その下方の底壁部２４１にそれぞれ貫設してある排水孔２４３を通じてさらに下方に流下する。都合４つの排水孔２４３を通じて流下した水は、該排水孔２４３の下方に位置する外カバー３の底壁３２の上面に当たり、該上面の傾斜によって、切欠部３２１を設けてある外カバー３の後端部に集められる。なお、外カバー３の底壁３２と受け具２との間には、水の流れを確保するための導水空間５が上下所定幅で形成されている。
【００３１】
また、棚板本体１１の下面側に当たるシャワー散水等に対しても、図４に矢印で示すような排水が行われる。つまり、外カバー３の前壁３１と棚板本体１１の隙間を通って該外カバー３内に侵入した水は、外カバー３の前壁３１と受け具２の前板２３との間に前後所定幅で形成される導水空間６を通って、外カバー３の底壁３２の上面に流下する。底壁３２の上面の前端部にまで流下した水は、該上面の傾斜にしたがって導水空間５を通過し、切欠部３２１を設けてある後端部に集められる。
【００３２】
つまり、底壁３２の傾斜した上面をつたうことで、棚板本体１１の上面側の経路から浸入した水と、棚板本体１１の下面側の経路から浸入した水とが合流して後端部に集められ、切欠部３２１と浴室側面Ｓとの間に形成される排水用スリット４を通じて排水される。
【００３３】
ここで、排水用スリット４は、外カバー３の左右方向の略全幅に亘って細長く形成されるので、該排水用スリット４を通じて流下する水は大きな水滴となって床面に落ちることなく、浴室側面Ｓをつたって静かに流下されてゆく。そのため、水滴が落ちる際にポタポタと音がすることが抑制され、また、水滴やはね返りが不意に身体に当たって不快感を与えることもない。
【００３４】
しかも、排水用スリット４は、上記のように外カバー３の底壁３２と浴室側面Ｓとの境界部分において細長く形成されるので、一見するだけではそこに排水用の孔が設けてあるとは気付きにくく、見栄えも良好である。
【００３５】
このように、本例の浴室用収納棚によれば、受け具２が露出することのないように外カバー３で覆って見栄えを向上させるだけでなく、この外カバー３と受け具２と棚板１の組み合わせにより形成する専用の排水経路を通って、最終的には外カバー３の底壁３２上面に合流させたうえで、浴室側面Ｓに確実につたわすことができる。しかも、そのための排水用スリット４も利用者に対して目立たない箇所に、目立つことのない寸法形状で形成される。
【００３６】
したがって、本例の浴室用収納棚によれば、棚全体の見栄えが大幅に向上するという利点のみならず、水滴が床面に落ちる際にポタポタと音がすることが抑制され、水滴やはね返りが身体に不意に当たって不快感を与えることも防止される。
【００３７】
以上、本発明を添付図面に示す実施形態に基づいて説明したが、本発明は上記実施形態に限定されるものではない。例えば、本例では棚板１を差込固定するために受け具２に嵌合凸部２４２を一対だけ設けているが、同様の嵌合凸部２４２を３つ以上の複数並設してあってもよい。この場合においても、受け具２の排水孔２４３は、隣接する嵌合凸部２４２間の隙間部分の下方と、左右両端の嵌合凸部２４２のさらに外側の隙間部分の下方とに、それぞれ設けることが好ましい。これにより、差込空間２２内を流下する水を左右方向に略偏りなく分配し、排水用スリット４から左右略均等に排水することが可能となる。本発明の意図する範囲内であれば、他の設計変更も可能であることは勿論である。
【符号の説明】
【００３８】
１      棚板
１１    棚板本体
１３    差込部
２      受け具
２２    差込空間
２４３  排水孔
３      外カバー
３１    前壁
３２    底壁
３３    側壁
４      排水用スリット
Ｓ      浴室側面
【図１】
2010273740.tif 000003
【図２】
2010273740.tif 000004
【図３】
2010273740.tif 000005
【図４】
2010273740.tif 000006
【図５】
2010273740.tif 000007
【図６】
2010273740.tif 000008
【図７】
2010273740.tif 000009
【図８】
2010273740.tif 000010
【図９】
2010273740.tif 000011